(57)【特許請求の範囲】
【請求項１】
蒸気タービン（１）の排気を凝縮復水させ、この復水を再びボイラ（７）の給水として利用するために、この復水を処理し加熱する復水系統の運転方法であって、
復水器（２）から復水を取り出す復水ポンプ（６）の起動後に、復水を昇圧する復水ブースターポンプ（８）を起動し、その後に脱気器（４）に１塔ずつ通水し、このとき復水脱塩装置バイパス弁（１１）はその全開位置より１塔分の設定量で通水し、その後２塔目の起動後には２塔分の設定量で通水し、
前記復水ブースターポンプ（８）と脱気器水位調整弁（９）の間から復水再循環系統（５）を用いて復水を前記復水器（２）へ戻す際に、
前記脱気器（４）に供給する復水が１００ｔ／ｈ未満のときは、該復水ブースターポンプ（８）の下流から、復水を該復水器（２）へ戻す前記復水再循環系統（５）の復水再循環弁（１２）を全開にし、更に該脱気器（４）の脱気器水位調整弁（９）を閉じる際には該復水再循環弁（１２）を全開にし、
その復水が１００〜２５０ｔ／ｈのときは、該復水再循環弁（１２）を全開にし、
その復水が２５０ｔ／ｈ以上のときは、前記復水再循環弁（１２）を全閉にし、更に該脱気器（４）の脱気器水位調整弁（９）を開ける際に該復水再循環弁（１２）を全閉にすることにより、復水の供給量を調整しながら、脱気器（４）に復水を供給し、蒸気タービン（１）の排気を凝縮復水させ、この復水を再びボイラ（７）の給水として安全に利用する、ことを特徴とする汽力発電設備における復水系統の運転方法。
【請求項２】
復水脱塩装置（３）に通水するときに、前記復水脱塩装置バイパス弁（１１）を全閉にする、ことを特徴とする請求項１の汽力発電設備における復水系統の運転方法。
【発明の詳細な説明】
【技術分野】
【０００１】
本発明は、熱エネルギーを利用して蒸気タービンで発電する汽力発電技術に係り、特に蒸気タービンの排気圧力を下げ、復水を回収する汽力発電設備における復水系統の運転方法に関する。
【背景技術】
【０００２】
汽力発電設備は、ボイラで燃料を燃焼し、その熱で高圧高温の蒸気を発生し、蒸気タービン、発電機を回転させて電力を発生する設備である。このボイラで燃料を燃やして得た高温高圧の蒸気でタービンを回す汽力発電設備が火力発電の中では発電能力・発電量ともに圧倒的に高い比率を占めている。
【０００３】
汽力発電設備は、ボイラ、タービン、発電機などの主要機器の他に、種々の付属設備から構成される。これらの設備を機能別に分類すると、燃料受入・貯蔵設備、ボイラ設備、蒸気タービン設備、復水・給水系統設備、発電機および電気設備、及び計測制御装置及び諸設備から成る。ここで、燃料受入・貯蔵設備は、取引用計量装置、重原油、ＬＮＧ、ＬＰＧ等の燃料タンク、燃料油ポンプ、ＬＮＧポンプ、気化器などである。ボイラ設備はボイラ本体、重原油ポンプ、バーナ、通風機、空気予熱器、集じん器、灰処理装置、煙突などである。蒸気タービン設備はタービン本体、潤滑油装置、調速装置などである。復水・給水系統設備は復水器、循環水ポンプ、復水ポンプ、給水加熱器、給水ポンプ、給水処理装置などである。発電機および電気設備は発電機、励磁機、変圧器、開閉装置、ケーブルなどである。計測制御装置は各種計測装置、監視装置、プラント総括制御装置、自動バーナ装置、計算機制御装置などである。諸設備には所内冷却水設備、所内空気設備、排水処理設備、保安防災設備などがある。
【０００４】
特に復水系統は、蒸気タービンの排気圧力を下げることと、復水の回収をするものであり、主要機器は、復水器、空気抽出器、循環水ポンプ、復水ポンプ、純水装置などがある。復水器はタービンの排気を冷却凝縮し、背圧を真空に保つことによりタービン効率を上げるとともに、凝縮復水した水を回収する装置である。
【０００５】
復水器又は復水系統に関する技術が提案されている、例えば、特許文献１の特開平６−３２３１０７号の特開公報「汽力発電プラント」に示すように、発電用蒸気タービンより排出される蒸気を水に凝縮する復水器と、この復水器から復水ポンプを通して送られる復水を蒸気発生装置へ送水する給水ポンプと、この給水ポンプの駆動用蒸気タービンとを有する汽力発電プラントにおいて、前記給水ポンプ駆動用蒸気タービンの排気と、前記復水器より抽出された復水とを直接接触式復水器に導いて熱交換させる汽力発電プラントが提案されている。
特許文献１の本発明によれば、給水ポンプ駆動用蒸気タービンの排気熱量を系外に捨てることなく、有効に活用することができ、汽力発電プラントの熱効率を向上させることができるとされている。
【特許文献１】特開平６−３２３１０７号公報
【発明の開示】
【発明が解決しようとする課題】
【０００６】
汽力発電設備では、ボイラに点火することによって、ただちに電気を発生できるものではなく、水力発電設備あるいは内燃力発電設備に比較して、その所要時間は停止している機器の状態によって異なるが、所定の負荷をとるまでに十数時間も要するという問題があった。
【０００７】
特に、停止期間が長い汽力発電設備では、各機器が常温に低下しているので、各機器に高温水、高圧水を供給すると各機器の故障の原因になりやすく、最悪の場合は亀裂等が生じて安全に運転できないというおそれがあった。例えば、復水器は、その圧力（真空度）は燃料費の減少と、復水系統の設備費や循環水ポンプ動力などの運転費の増加を比較検討して決定されるものである。また、四季を通じての冷却水温度の変化、タービンの予想負荷状況も検討し最も経済的な圧力を選ぶ必要がある。そこで、汽力発電設備において定常運転までに、多数の操作・作業を基本手順に従って確実に操作する必要がある。
【０００８】
なお、特許文献１には、給水ポンプ駆動用蒸気タービンの排気熱量を系外に捨てることなく、有効に活用することができ、汽力発電プラントの熱効率を向上させる技術は開示されているが、復水系統全体を安全かつ正確に運転制御するものではなかった。
【０００９】
本発明は、かかる問題点を解決するために創案されたものである。すなわち、本発明の目的は、復水器、脱気器等の機器に供給する給水量を調整することで、発電設備の起動時、停止の際に安全かつ正確に運転することができると共に、異常時にも適切に対応することができる汽力発電設備における復水系統の運転方法を提供することにある。
【課題を解決するための手段】
【００１０】
本発明の復水系統の運転方法は、蒸気タービン（１）の排気を凝縮復水させ、この復水を再びボイラ（７）の給水として利用するために、この復水を処理し加熱する復水系統の運転方法であって、復水器（２）から復水を取り出す復水ポンプ（６）の起動後に、復水を昇圧する復水ブースターポンプ（８）を起動し、その後に脱気器（４）に１塔ずつ通水し、このとき復水脱塩装置バイパス弁（１１）はその全開位置より１塔分の設定量で通水し、その後２塔目の起動後には２塔分の設定量で通水し、前記復水ブースターポンプ（８）と脱気器水位調整弁（９）の間から復水再循環系統（５）を用いて復水を前記復水器（２）へ戻す際に、前記脱気器（４）に供給する復水が１００ｔ／ｈ未満のときは、該復水ブースターポンプ（８）の下流から、復水を該復水器（２）へ戻す前記復水再循環系統（５）の復水再循環弁（１２）を全開にし、更に該脱気器（４）の脱気器水位調整弁（９）を閉じる際には該復水再循環弁（１２）を全開にし、その復水が１００〜２５０ｔ／ｈのときは、該復水再循環弁（１２）を全開にし、その復水が２５０ｔ／ｈ以上のときは、前記復水再循環弁（１２）を全閉にし、更に該脱気器（４）の脱気器水位調整弁（９）を開ける際に該復水再循環弁（１２）を全閉にすることにより、復水の供給量を調整しながら、脱気器（４）に復水を供給し、蒸気タービン（１）の排気を凝縮復水させ、この復水を再びボイラ（７）の給水として安全に利用する、ことを特徴とする。
【００１１】
例えば、復水脱塩装置（３）に通水するときに、復水脱塩装置バイパス弁（１１）を全閉にする。
【発明の効果】
【００１２】
上記構成の発明では、復水系統中に復水ポンプ（６）の下流に復水脱塩装置（３）を配置して、復水中に含まれる塩類及び溶存イオン類を除去するので、蒸気タービン（１）の排気を凝縮復水させ、この復水を再びボイラ（７）の給水として効率良く利用でき、発電設備の起動時、停止の際に安全かつ正確に運転することができると共に、異常時にも適切に対応することができる。
【００１３】
復水脱塩装置（３）の下流に復水脱塩装置バイパス弁（１１）を付設したので、復水中に含まれる塩類及び溶存イオン類を効率よく除去することができる。
復水ブースターポンプ（８）と脱気器水位調整弁９の間から、復水を復水器２へ戻す復水再循環系統（５）を配置しているので、復水流量を調整することができる。
【００１４】
特に、復水器（２）から復水を取り出す復水ポンプ（６）を起動し、復水ブースターポンプ（８）を起動し、復水脱塩装置（３）に通水するときに、復水器（２）に供給する復水の供給量に応じて、復水再循環系統（５）を用いて脱気器（４）に供給する復水の供給量を調整することにより、復水を安全に供給することができる。
【発明を実施するための最良の形態】
【００１５】
本発明の運転方法を実施する汽力発電設備における復水系統は、蒸気タービンの排気を凝縮復水させ、この復水を再びボイラの給水として利用するために、蒸気タービンの排気を冷却凝縮し、背圧を真空に保つことにより蒸気タービンのタービン効率を上げると共に、凝縮復水した水を回収する復水器を備えた復水系統である。
この復水系統の運転方法は、蒸気タービンの排気を凝縮復水させ、この復水を再びボイラの給水として利用するために、復水器に供給する復水の供給量を調整しながら、脱気器に復水を供給する復水系統の運転方法である。
【実施例１】
【００１６】
以下、本発明の好ましい実施の形態を図面を参照して説明する。
図１は本発明の運転方法を実施する汽力発電設備における復水系統を示す概略系統図である。
本発明の運転方法を実施する汽力発電設備における復水系統は、蒸気タービン１の排気圧力を下げ、復水を回収する系統であり、主に復水器２、復水脱塩装置３、脱気器４及び復水再循環系統５を備えた発電設備である。
【００１７】
復水器２は、蒸気タービン１の排気を冷却凝縮し、背圧を真空に保つことにより蒸気タービン１のタービン効率を上げると共に、凝縮復水した水を回収する設備である。この復水器２から復水を復水ポンプ６で取り出す。また、この復水器２の内部温度は、海水温度および復水器冷却能力と被冷却物質である蒸気の持つエネルギーによって決まる。また、季節および発電所の負荷状況等により決まるが、通常２０℃前後で推移している。例えば、復水器排気室の温度は夏場で約４０℃，冬場の低負荷（１０５ＭＷ）で２０℃となっている。
【００１８】
復水ポンプ６の下流に復水脱塩装置３を配置した。この復水脱塩装置３は、例えばイオン交換樹脂から成り、復水中に含まれる塩類及び溶存イオン類を除去する装置である。塩類又は溶存イオン類が復水中に含まれていると、ボイラ７や配管等に汚れが付着し、熱伝導を妨げ、腐食の原因となって発電設備の事故を引き起こすおそれがあるからである。この復水脱塩装置３において圧力損失した復水は、復水ブースターポンプ８で昇圧する。
【００１９】
復水ブースターポンプ８の下流には、脱気器４の水位を調整する脱気器水位調整弁９を配置している。この脱気器水位調整弁９の下流には蒸気タービン１から抽気された蒸気を用いて復水を、５０℃から１２０℃程度に加熱する復水加熱器（低圧給水ヒータ）１０を配置している。
【００２０】
復水加熱器（低圧給水ヒータ）１０の下流には、復水中の溶存酸素を除去すると共に、蒸気タービン１から抽気された蒸気を用いて復水を加熱する脱気器４を配置している。この脱気器４は、処理した水を復水器２へ補給し、復水ポンプ６でくみ上げ、復水加熱器（低圧給水ヒータ）１０で加熱し、溶存酸素を除去すると共に、蒸気タービン１から抽気された蒸気を用いて復水を加熱する装置である。この脱気器４では蒸気タービン１の抽気等を噴射して給水を直接加熱し、給水中の溶存ガスを物理的に除去する。この脱気器４は、その内部は真空に維持され、ここで１２０℃から１５０℃程度に加熱する。
【００２１】
本発明では、復水系統中に復水ポンプ６の下流に復水脱塩装置３を配置し、この復水脱塩装置３で復水中に含まれる塩類及び溶存イオン類を除去するので、蒸気タービン１の排気を凝縮復水させ、この復水を再びボイラ７の給水として効率良く利用できる。更に、発電設備の起動時、停止の際に安全かつ正確に運転することができると共に、異常時にも適切に対応することができる。
【００２２】
復水ブースターポンプ８と脱気器水位調整弁９の間から、復水を復水器２へ戻す復水再循環系統５を配置している。この復水再循環系統５の復水再循環弁１２では復水流量を調整する。例えば、流量発信器からの信号出力ラインより補助リレーが動作し、電磁弁を励磁することで復水再循環弁１２へ駆動用空気が送られように、この復水再循環弁１２をＯＮ，ＯＦＦ制御する。なお、復水器２は、起動時には復水器ウォーターカーテン弁が全開し、またタービン排気室の温度上昇防止のため、排気室スプレー弁も復水系統に備える。
【００２３】
復水脱塩装置３の下流に復水脱塩装置バイパス弁１１を付設したので、復水中に含まれる塩類及び溶存イオン類を効率よく除去することができる。
【実施例２】
【００２４】
図２は実施例２の汽力発電設備における復水系統の運転方法を示すフロー図である。
実施例２に係る復水系統の運転方法は、先ず復水器２から復水を取り出す復水ポンプ６の起動後に、復水を昇圧する復水ブースターポンプ８を起動し、その後に脱気器４に１塔ずつ通水する。このとき復水脱塩装置バイパス弁１１は、例えばその全開位置より１塔分の設定量で通水し、その後２塔目の起動後には２塔分の設定量で通水する。
【００２５】
このとき脱気器４に供給する復水が１００ｔ／ｈ未満のときは、復水ブースターポンプ８の下流から、復水再循環系統５における復水を復水器２へ戻す復水再循環弁１２を全開にする。その復水が１００〜２５０ｔ／ｈのときは、復水再循環弁１２を全開にする。その復水が２５０ｔ／ｈ以上のときは、復水再循環弁１２を全閉にして脱気器４に復水を供給する。このように復水の供給量を調整しながら、脱気器４に復水を供給することにより、蒸気タービン１の排気を凝縮復水させ、この復水を再びボイラ７の給水として安全に利用できる。これらのしきい値は、汽力発電設備の規模によって若干相違することは勿論である。
【００２６】
更に、安全を期すために、脱気器４の脱気器水位調整弁９を閉じる際に、復水の流量が１００ｔ／ｈ未満となったときに、復水再循環弁１２を全開にする。
また、脱気器４の脱気器水位調整弁９を開ける際に、復水の流量が２５０ｔ／ｈ以上のときに、復水再循環弁１２を全閉にする。
【００２７】
本発明では、復水器２から復水を取り出す復水ポンプ６を起動し、復水を昇圧する復水ブースターポンプ８を起動して脱気器４に通水するときに、復水器２に供給する復水の供給量に応じて、脱気器４に供給する復水の供給量を調整することにより、復水を安全に供給することができる。
【００２８】
なお、本発明は、復水器、脱気器等の機器に供給する給水量を調整することで、発電設備の起動時、停止の際に安全かつ正確に運転することができると共に、異常時にも適切に対応することで、発電設備の起動時、停止の際に安全かつ正確に運転することができると共に、異常時にも適切に対応できれば、上述した発明の実施の形態に限定されず、本発明の要旨を逸脱しない範囲で種々変更できることは勿論である。
【産業上の利用可能性】
【００２９】
本発明の汽力発電設備における復水系統の運転方法は、汽力発電設備の他にコンバインサイクル発電設備などに利用することができる。
【図面の簡単な説明】
【００３０】
【図１】本発明の運転方法を実施する汽力発電設備における復水系統を示す概略系統図である。
【図２】汽力発電設備における給水系統における重原油供給系統の運転方法を説明するフロー図である。
【符号の説明】
【００３１】
１ 蒸気タービン
２ 復水器
３ 復水脱塩装置
４ 脱気器
５ 復水再循環系統
６ 復水ポンプ
７ ボイラ
８ 復水ブースターポンプ
９ 脱気器水位調整弁
１０ 復水加熱器（低圧給水ヒータ）
１１ 復水脱塩装置バイパス弁
１２ 復水再循環弁
【図１】
0005142817.tif 000002
【図２】
0005142817.tif 000003